(57)【要約】【課題】配筋検査画像を用いて配筋検査情報を簡易な構成で取得し、迅速かつ精度の高い配筋検査を行うことができる配筋検査方法及び配筋検査システムを提供すること。【解決手段】鉄筋コンクリート構造物に用いられる鉄筋の径を含む鉄筋種別を示す種別マーカＭ１，Ｍ２が付された鉄筋４ｈ，４Ｖと、配筋された鉄筋に付された種別マーカＭ１，Ｍ２が配列された位置に配置されるスケール５ｈ，５Ｖと、スケール５ｈ，５Ｖ及び種別マーカＭ１，Ｍ２を含めた配筋検査画像Ｄ１を取得する撮像カメラ３と、撮像カメラ３が取得した配筋検査画像内のスケール５ｈ，５Ｖ及び種別マーカＭ１，Ｍ２をもとに画像処理を施し、配筋された鉄筋４ｈ，４Ｖの鉄筋種別、配筋本数、及び配筋ピッチを含む配筋検査情報Ｄ２を生成する配筋検査情報生成部１４と、を備え、配筋検査情報Ｄ２をもとに配筋検査を行う。【選択図】図１
2019196992.tif 000002
【特許請求の範囲】
【請求項１】
鉄筋コンクリート構造物の構築時において、鉄筋の配筋前または配筋後に、用いられる鉄筋の径を含む鉄筋種別を示す種別マーカを付する種別マーカ取付工程と、
前記種別マーカが配列された位置にスケールを配置するスケール配置工程と、
前記スケール及び前記種別マーカを含めた配筋検査画像を取得する配筋検査画像取得工程と、
前記配筋検査画像内の前記スケール及び前記種別マーカをもとに画像処理を施し、配筋された鉄筋の鉄筋種別、配筋本数、及び配筋ピッチを含む配筋検査情報を生成する配筋検査情報生成工程と、
を含み、
前記配筋検査情報をもとに配筋検査を行うことを特徴とする配筋検査方法。
【請求項２】
配筋検査領域を区分する区分マーカを前記鉄筋に付する区分マーカ取付工程を含み、
前記配筋検査画像取得工程は、前記区分マーカによって区切られた検査領域に対応する配筋検査画像を取得することを特徴とする請求項１に記載の配筋検査方法。
【請求項３】
前記検査領域毎に、施工位置の場所情報及び施工部位を示す部位情報が少なくとも記載された情報記録板を配置し、
前記配筋検査画像取得工程は、前記配筋検査画像内に前記情報記録板を含めて撮像することを特徴とする請求項１または２に記載の配筋検査方法。
【請求項４】
前記種別マーカは、所定間隔で間引き配置されることを特徴とする請求項１〜３のいずれか一つに記載の配筋検査方法。
【請求項５】
前記種別マーカは、異なる色で前記鉄筋種別を示すことを特徴とする請求項１〜４のいずれか一つに記載の配筋検査方法。
【請求項６】
前記配筋検査情報と配筋設計情報とを比較して配筋の異常を検出する配筋異常検出工程を含み、
前記配筋検査情報に前記配筋の異常の有無を含めた検査情報として出力することを特徴とする請求項１〜５のいずれか一つに記載の配筋検査方法。
【請求項７】
鉄筋コンクリート構造物に用いられる鉄筋の径を含む鉄筋種別を示す種別マーカが付された鉄筋と、
配筋された鉄筋に付された前記種別マーカが配列された位置に配置されるスケールと、
前記スケール及び前記種別マーカを含めた配筋検査画像を取得する撮像カメラと、
前記撮像カメラが取得した前記配筋検査画像内の前記スケール及び前記種別マーカをもとに画像処理を施し、配筋された鉄筋の鉄筋種別、配筋本数、及び配筋ピッチを含む配筋検査情報を生成する配筋検査情報生成部と、
を備え、
前記配筋検査情報をもとに配筋検査を行うことを特徴とする配筋検査システム。
【請求項８】
配筋検査領域を区分する区分マーカが前記鉄筋に付され、
前記撮像カメラは、前記区分マーカによって区切られた検査領域に対応する配筋検査画像を取得することを特徴とする請求項７に記載の配筋検査システム。
【請求項９】
前記検査領域毎に、施工位置の場所情報及び施工部位を示す部位情報が少なくとも記載された情報記録板を配置し、
前記撮像カメラは、前記配筋検査画像内に前記情報記録板を含めて撮像することを特徴とする請求項７または８に記載の配筋検査システム。
【請求項１０】
前記種別マーカは、所定間隔で間引き配置されることを特徴とする請求項７〜９のいずれか一つに記載の配筋検査システム。
【請求項１１】
前記種別マーカは、異なる色で前記鉄筋種別を示すことを特徴とする請求項７〜１０のいずれか一つに記載の配筋検査システム。
【請求項１２】
前記配筋検査情報と配筋設計情報とを比較して配筋の異常を検出する配筋異常検出部を備え、
前記配筋検査情報に前記配筋の異常の有無を含めた検査情報として出力することを特徴とする請求項７〜１１のいずれか一つに記載の配筋検査システム。
【発明の詳細な説明】
【技術分野】
【０００１】
本発明は、配筋検査画像を用いて配筋検査情報を簡易な構成で取得し、迅速かつ精度の高い配筋検査を行うことができる配筋検査方法及び配筋検査システムに関する。
【背景技術】
【０００２】
鉄筋コンクリート構造物の配筋検査における重要な検査項目には、鉄筋径種、表面加工種、配置本数、配筋ピッチなどがある。この配筋検査では、直接、配筋位置でスケールを用いて配筋ピッチなどを計測している。しかし、配筋位置におけるスケールを用いた配筋検査が完了するまでに、その検査結果の記録を含めて多大な時間がかかってしまう。
【０００３】
そこで、デジタルカメラを用いて撮像した配筋画像を用いて配筋情報を取得して配筋検査を行うことにより、配筋検査の時間短縮を図る試みがある（特許文献１参照）。なお、特許文献２には、作業現場に装着され、場所情報と部材情報とを記録した情報記録カードを備え、情報読取機能付きのデジタルカメラにより施工位置を撮影することにより、画像と日付・時刻情報を記録し、同時に、情報記録カードに記録された場所情報と部材情報とを読み込み、読み取られた画像情報、日付・時刻情報、場所情報および部材情報をデータベースに記録するものが記載されている。
【先行技術文献】
【特許文献】
【０００４】
【特許文献１】特許第６２３６１９９号公報
【特許文献２】特開２００５−１６１０８号公報
【発明の概要】
【発明が解決しようとする課題】
【０００５】
ところで、配筋に用いられる鉄筋は、その径によって、例えば、Ｄ６、Ｄ１０、Ｄ１３、Ｄ１６などのように約３ｍｍピッチという微小な間隔で分類され、しかも鉄筋表面には竹節模様やねじ節模様などの表面加工がされている異形鉄筋である場合が殆どであり、また、その断面が真円以外（楕円など）の場合もある。
【０００６】
したがって、配筋状態を撮像した配筋検査画像を用いて迅速な配筋検査を行うことができても、径ピッチが小さく、かつ、撮像される鉄筋の角度によって鉄筋の径が異なって計測されるため、鉄筋径種を精度高く判別することができない。この結果、従来の配筋検査画像を用いた配筋検査では、配筋に用いられた鉄筋の鉄筋径を含む鉄筋種別、配置本数や配筋ピッチなどの配筋状態を含む各種の配筋検査情報を精度高く得ることは困難である。
【０００７】
なお、配筋検査画像上の距離を計測するためには、例えば２つのカメラを用いたステレオカメラが用いられるが、上記したように、撮像する角度によって鉄筋の径が異なるため、たとえ、ステレオカメラを用いても、配筋に用いられた鉄筋の鉄筋種別や配筋状態を含む配筋情報を精度高く取得することは困難である。なお、ステレオカメラを用いて配筋ピッチなどの配筋情報を得ようとすると構成が複雑になる。
【０００８】
本発明は、上記に鑑みてなされたものであって、配筋検査画像を用いて配筋検査情報を簡易な構成で取得し、迅速かつ精度の高い配筋検査を行うことができる配筋検査方法及び配筋検査システムを提供することを目的とする。
【課題を解決するための手段】
【０００９】
上述した課題を解決し、目的を達成するために、本発明にかかる配筋検査方法は、鉄筋コンクリート構造物の構築時において、鉄筋の配筋前または配筋後に、用いられる鉄筋の径を含む鉄筋種別を示す種別マーカを付する種別マーカ取付工程と、前記種別マーカが配列された位置にスケールを配置するスケール配置工程と、前記スケール及び前記種別マーカを含めた配筋検査画像を取得する配筋検査画像取得工程と、前記配筋検査画像内の前記スケール及び前記種別マーカをもとに画像処理を施し、配筋された鉄筋の鉄筋種別、配筋本数、及び配筋ピッチを含む配筋検査情報を生成する配筋検査情報生成工程と、を含み、前記配筋検査情報をもとに配筋検査を行うことを特徴とする。
【００１０】
また、本発明にかかる配筋検査方法は、上記の発明において、配筋検査領域を区分する区分マーカを前記鉄筋に付する区分マーカ取付工程を含み、前記配筋検査画像取得工程は、前記区分マーカによって区切られた検査領域に対応する配筋検査画像を取得することを特徴とする。
【００１１】
また、本発明にかかる配筋検査方法は、上記の発明において、前記検査領域毎に、施工位置の場所情報及び施工部位を示す部位情報が少なくとも記載された情報記録板を配置し、前記配筋検査画像取得工程は、前記配筋検査画像内に前記情報記録板を含めて撮像することを特徴とする。
【００１２】
また、本発明にかかる配筋検査方法は、上記の発明において、前記種別マーカは、所定間隔で間引き配置されることを特徴とする。
【００１３】
また、本発明にかかる配筋検査方法は、上記の発明において、前記種別マーカは、異なる色で前記鉄筋種別を示すことを特徴とする。
【００１４】
また、本発明にかかる配筋検査方法は、上記の発明において、前記配筋検査情報と配筋設計情報とを比較して配筋の異常を検出する配筋異常検出工程を含み、前記配筋検査情報に前記配筋の異常の有無を含めた検査情報として出力することを特徴とする。
【００１５】
また、本発明にかかる配筋検査システムは、鉄筋コンクリート構造物に用いられる鉄筋の径を含む鉄筋種別を示す種別マーカが付された鉄筋と、配筋された鉄筋に付された前記種別マーカが配列された位置に配置されるスケールと、前記スケール及び前記種別マーカを含めた配筋検査画像を取得する撮像カメラと、前記撮像カメラが取得した前記配筋検査画像内の前記スケール及び前記種別マーカをもとに画像処理を施し、配筋された鉄筋の鉄筋種別、配筋本数、及び配筋ピッチを含む配筋検査情報を生成する配筋検査情報生成部と、を備え、前記配筋検査情報をもとに配筋検査を行うことを特徴とする。
【００１６】
また、本発明にかかる配筋検査システムは、上記の発明において、配筋検査領域を区分する区分マーカが前記鉄筋に付され、前記撮像カメラは、前記区分マーカによって区切られた検査領域に対応する配筋検査画像を取得することを特徴とする。
【００１７】
また、本発明にかかる配筋検査システムは、上記の発明において、前記検査領域毎に、施工位置の場所情報及び施工部位を示す部位情報が少なくとも記載された情報記録板を配置し、前記撮像カメラは、前記配筋検査画像内に前記情報記録板を含めて撮像することを特徴とする。
【００１８】
また、本発明にかかる配筋検査システムは、上記の発明において、前記種別マーカは、所定間隔で間引き配置されることを特徴とする。
【００１９】
また、本発明にかかる配筋検査システムは、上記の発明において、前記種別マーカは、異なる色で前記鉄筋種別を示すことを特徴とする。
【００２０】
また、本発明にかかる配筋検査システムは、上記の発明において、前記配筋検査情報と配筋設計情報とを比較して配筋の異常を検出する配筋異常検出部を備え、前記配筋検査情報に前記配筋の異常の有無を含めた検査情報として出力することを特徴とする。
【発明の効果】
【００２１】
本発明によれば、配筋検査画像を用いて配筋検査情報を簡易な構成で取得し、迅速かつ精度の高い配筋検査を行うことができる。
【図面の簡単な説明】
【００２２】
【図１】図１は、本発明の実施の形態である配筋検査システムの構成を示す模式図である。
【図２】図２は、配筋検査システム１よる配筋検査処理手順を示すフローチャートである。
【図３】図３は、入出力部に出力された検査情報の一例を示す図である。
【発明を実施するための形態】
【００２３】
以下、添付図面を参照して本発明を実施するための形態について説明する。
【００２４】
図１は、本発明の実施の形態である配筋検査システム１の構成を示す模式図である。図１に示すように、配筋検査システム１は、制御装置２に撮像カメラ３が接続されている。撮像カメラ３は、鉄筋コンクリート構造物に用いられる配筋検査対象を撮像する。
【００２５】
配筋検査対象には、配筋検査画像Ｄ１に示すように、例えば、水平方向ＡＨの鉄筋４ｈと垂直方向ＡＶの鉄筋４Ｖとからなる鉄筋Ｍが配筋されている。鉄筋４ｈには、それぞれ鉄筋の径を含む鉄筋種別を示す種別マーカＭ２が付されて配列され、鉄筋４Ｖには、それぞれ種別マーカＭ１が付されて配列される。種別マーカＭ１，Ｍ２は、例えば、Ｄ６、Ｄ１０、Ｄ１３、Ｄ１６などのような径と、断面が楕円などの異形鉄筋の種別と、鉄筋表面の表面加工種別とを識別するものであるが、径のみであってもよい。種別マーカＭ１，Ｍ２は、各鉄筋Ｍに対し、配筋前に付しておくことが好ましい。
【００２６】
配列された種別マーカＭ１，Ｍ２の位置に沿ってそれぞれスケール５ｈ，５Ｖが配置される。なお、スケール５ｈ，５Ｖには、目盛り以外に目盛りの数値が記載されている。配筋検査対象が広域である場合、配筋検査対象を区分する区分マーカＭ１０，Ｍ２０が対応する鉄筋に付される。２つの区分マーカＭ１０は、水平方向ＡＨの検査領域幅を規定し、２つの区分マーカＭ２０は、垂直方向ＡＶの検査領域幅を規定する。したがって、区分マーカＭ１０，Ｍ２０によって矩形の検査領域を規定することができる。この区分マーカＭ１０，Ｍ２０は、配筋前あるいは配筋後に、対応する鉄筋Ｍに付される。
【００２７】
鉄筋４Ｖに付される種別マーカＭ１は、配筋時に垂直方向ＡＶの位置がほぼ同一で水平方向ＡＨに沿って配置されることが好ましい。また、鉄筋４ｈに付される種別マーカＭ２は、配筋時に水平方向ＡＨの位置がほぼ同一で垂直方向ＡＶに沿って配置されることが好ましい。そして、スケール５ｈは、種別マーカＭ１の配列方向に沿って近接配置され、スケール５Ｖは、種別マーカＭ２の配列方向に沿って近接配置される。
【００２８】
なお、種別マーカＭ１，Ｍ２はそれぞれ種別に応じた異なる色が配色される。また、区分マーカＭ１０，Ｍ２０は、種別マーカＭ１，Ｍ２とは異なる色が配色される。種別マーカＭ１，Ｍ２及び区分マーカＭ１０，Ｍ２０は、塗料などで塗布したものであってもよいし、テープを取り付けたものであってもよい。
【００２９】
また、区分マーカＭ１０，Ｍ２０で区分された検査領域内には、施工位置の場所情報及び施工部位を示す部位情報が少なくとも記載された情報記録板６が配置される。なお、情報記録板６に、日付情報などの時間情報を記載してもよいが、時間情報は、撮像カメラ３が配筋検査画像Ｄ１を撮像したときの撮像カメラ３の情報を用いるようにしている。
【００３０】
制御部１０は、制御装置２全体を制御する制御部１０、タッチパネルなどの入出力デバイスであり、各種情報の入出力を行う入出力部１１、フラッシュメモリ等の不揮発性メモリ又はハードディスク装置等の二次記憶媒体等からなる記憶デバイスである記憶部１２を有する。記憶部１２は、配筋検査画像Ｄ１、配筋検査情報Ｄ２、予め記憶される配筋設計情報Ｄ３、検査情報Ｄ４、種別マーカＭ１，Ｍ２及び区分マーカＭ１０，Ｍ２０に関する設定情報であるマーカ情報Ｄ５を記憶する。
【００３１】
制御部１０は、画像取得部１３、配筋検査情報生成部１４、及び配筋異常検出部１５を有する。画像取得部１３は、撮像カメラ３が撮像した、スケール５ｈ，５Ｖ、種別マーカＭ１，Ｍ２、区分マーカＭ１０，Ｍ２０、情報記録板６を含めた配筋検査画像Ｄ１を取得する。
【００３２】
配筋検査情報生成部１４は、画像取得部１３が取得した配筋検査画像Ｄ１内の区分マーカＭ１０，Ｍ２０を識別して検査領域を特定し、この検査領域内のスケール５ｈ，５Ｖ及び種別マーカＭ１，Ｍ２を画像処理し、検査領域内で、配筋された鉄筋４ｈ，４Ｖの鉄筋種別、配筋本数、及び配筋ピッチを含む配筋検査情報Ｄ２を生成する。なお、配筋検査情報生成部１４は、同時に情報記録板６に表示された施工位置の場所情報及び施工部位を示す部位情報を読み取り、配筋検査情報Ｄ２に加えるとともに、現在時刻を日付情報として配筋検査情報Ｄ２に加える。
【００３３】
配筋異常検出部１５は、配筋検査情報Ｄ２と、予め記憶部１２に記憶された配筋設計情報Ｄ３とを比較して配筋の異常を検出し、配筋検査情報Ｄ２に配筋の異常の有無（異常検出結果）を含めた検査情報Ｄ４として出力する。検査情報Ｄ４は、例えば、入出力部１１に表示出力され、さらには図示しない外部装置に出力される。
【００３４】
＜配筋検査処理＞
ここで、図２に示したフローチャートを参照して配筋検査システム１による配筋検査処理手順について説明する。図２に示すように、まず、鉄筋コンクリート構造物に用いられる鉄筋の径を含む鉄筋種別を示す種別マーカＭ１，Ｍ２を鉄筋４ｈ，４Ｖに取り付ける（ステップＳ１０１）。その後、鉄筋４ｈ、４Ｖを配筋する（ステップＳ１０２）。配筋後、区分マーカＭ１０，Ｍ２０を取り付けて検査領域を規定する（ステップＳ１０３）。さらに、検査領域内の種別マーカＭ１，Ｍ２が配列された位置にスケール５ｈ，５Ｖを配置する（ステップＳ１０４）とともに、情報記録板６を配置する。
【００３５】
その後、画像取得部１３は、撮像カメラ３が撮像した配筋検査画像Ｄ１を取得する（ステップＳ１０５）。その後、配筋検査情報生成部１４は、配筋検査画像Ｄ１内のスケール５ｈ，５Ｖ及び種別マーカＭ１，Ｍ２をもとに画像処理を施し、配筋された鉄筋の鉄筋種別、配筋本数、及び配筋ピッチを含む配筋検査情報を生成する（ステップＳ１０６）。
【００３６】
その後、配筋異常検出部１５は、配筋検査情報Ｄ２と配筋設計情報Ｄ３とを比較して配筋の異常を検出する配筋異常の検出処理を行う（ステップＳ１０７）。そして、配筋異常検出部１５は、配筋検査情報Ｄ２に配筋の異常の有無を含めた検査情報Ｄ４として、入出力部１１等に出力し（ステップＳ１０８）、本処理を終了する。
【００３７】
図３は、入出力部１１に出力された検査情報Ｄ４の一例を示す図である。図３に示すように、検査情報Ｄ４には、情報記録板６から読み取った施工位置、施工部位、撮像カメラ３あるいは制御装置２の時刻情報であって配筋検査画像Ｄ１を取得した時刻情報である検査日時、及び鉄筋種別毎の本数、位置、ピッチが表示される。位置、ピッチに関しては、配筋設計情報Ｄ３との比較結果の情報が表示される。鉄筋種別毎の本数、位置、ピッチは検査結果が合格であれば○、不合格であれば×が表示される。本数は、配筋設計情報Ｄ３と一致している場合に合格となり、不一致の場合には不合格となる。位置は、配筋設計情報Ｄ３の位置に対するずれの平均が所定ずれ量内であって、最大ずれ量を超えるものがない場合のみ合格としている。同様にピッチは、配筋設計情報Ｄ３のピッチに対するずれの平均が所定ずれ量内であって、最大ずれ量を超えるものがない場合のみ合格としている。また、位置及びピッチについての詳細情報は、その格納先を示す格納先情報Ｐ１〜Ｐ４が表示される。
【００３８】
本実施の形態では、鉄筋に種別マーカＭ１，Ｍ２を取り付けるとともに、種別マーカＭ１，Ｍ２に沿ってスケール５ｈ，５Ｖを配置しておき、種別マーカＭ１，Ｍ２及びスケール５ｈ，５Ｖを含む配筋検査画像Ｄ１を取得し、配筋検査画像Ｄ１を画像処理して、種別マーカＭ１，Ｍ２により配筋された鉄筋４ｈ，４Ｖの鉄筋種別、配筋本数を識別し、さらにスケール５ｈ，５Ｖを参照して鉄筋４ｈ，４Ｖの配筋ピッチを算出し、これらを含む配筋検査情報Ｄ２を生成するようにしている。この結果、ステレオカメラなどの高度な撮像カメラを用いずとも、単眼カメラを用いた簡易な構成で、精度の高い配筋検査情報Ｄ２を迅速に得ることができる。もちろん、ステレオカメラを用いてさらに精度の高い配筋検査情報Ｄ２を得るようにしてもよい。
【００３９】
なお、種別マーカＭ１，Ｍ２は、各鉄筋４ｈ，４Ｖの全てに取り付ける必要はなく、所定間隔で間引いてもよい。
【００４０】
また、配筋検査システム１は、ＧＰＳ機能などの測位機能を有するドローンなどの無人飛行機に搭載するようにしてもよい。あるいは、配筋検査システム１内の撮像カメラ３を無人飛行機に搭載し、撮像した配筋検査画像を送信できるようにしてもよい。
【００４１】
さらに、上記の配筋検査システム１では、配筋異常検出部１５が検査情報Ｄ４を生成するようにしていたが、これに限らず、配筋検査情報Ｄ２のみを入出力部１１に表示出力し、検査者が、紙情報である配筋設計情報Ｄ３を参照して配筋検査を行うようにしてもよい。
【００４２】
また、配筋検査システム１の撮像カメラ３と制御装置２とは、スマートフォンなどの携帯装置と同様に、一体形成されていてもよい。また、撮像カメラ３に無線通信機能を設け、撮像カメラ３で撮像した配筋検査画像Ｄ１を別途配置された制御装置２側に送信するものであってもよい。
【００４３】
さらに、上記の配筋検査システム１では、水平方向ＡＨ及び垂直方向ＡＶに配筋された状態のものを検査するようにしていたが、これに限らず、水平方向ＡＨ及び垂直方向ＡＶが形成する平面に垂直な方向に配置された配筋に対しても検査することができる。この場合、水平方向ＡＨ及び垂直方向ＡＶが形成する平面に垂直な方向に延びるスケールを配置する。さらに、これらを組み合わせることによって水平方向ＡＨ及び垂直方向ＡＶが形成する平面が平面に垂直な方向に所定の間隔空け２段以上に配筋されている場合にも適用可能である。
【００４４】
以上、本発明者らによってなされた発明を適用した実施形態について説明したが、本実施形態による本発明の開示の一部をなす記述及び図面により本発明は限定されることはない。すなわち、本実施形態に基づいて当業者等によりなされる他の実施形態、実施例、及び運用技術等は全て本発明の範疇に含まれる。
【符号の説明】
【００４５】
１  配筋検査システム
２  制御装置
３  撮像カメラ
４ｈ，４Ｖ，Ｍ  鉄筋
５ｈ，５Ｖ  スケール
６  情報記録板
１０  制御部
１１  入出力部
１２  記憶部
１３  画像取得部
１４  配筋検査情報生成部
１５  配筋異常検出部
ＡＨ  水平方向
ＡＶ  垂直方向
Ｄ１  配筋検査画像
Ｄ２  配筋検査情報
Ｄ３  配筋設計情報
Ｄ４  検査情報
Ｄ５  マーカ情報
Ｍ１，Ｍ２  種別マーカ
Ｍ１０，Ｍ２０  区分マーカ
Ｐ１  格納先情報
【図１】
2019196992.tif 000003
【図２】
2019196992.tif 000004
【図３】
2019196992.tif 000005